(57)【要約】【課題】  無目内の装置やスライドドアなどの重量ある構造物を上から支えることを必要とせず、構造が簡単、かつ、安価で、無目枠内での作業を安全に、能率よく行なうことのできるものを提供する。【解決手段】  ドア支持枠に取り付けた車輪を無目枠内のレールに載せ、エンジン本体で駆動されるベルトによりスライドドアを開閉する自動ドアの取り付け装置において、前記スライドドアの開閉される位置の床材の下に前記無目枠を設け、この無目枠内に、前記レール，ドア支持枠，車輪，エンジン本体，ベルトを収納し、前記無目枠の上に、嵌め込み床板を着脱自在に被せるようにした自動ドアの取り付け装置である。室内側のスライドドアと、室外側のスライドドアと、これらの間の固定ドアとで風除け室を形成した場合に特に有効である。【選択図】  図１
2006177043.tif 000002
【特許請求の範囲】
【請求項１】
ドア支持枠に取り付けた車輪を無目枠内のレールに載せ、エンジン本体で駆動されるベルトによりスライドドアを開閉する自動ドアの取り付け装置において、前記スライドドアの開閉される位置の床材の下に前記無目枠を設け、この無目枠内に、前記レール，ドア支持枠，車輪，エンジン本体，ベルトを収納し、前記無目枠の上に、嵌め込み床板を着脱自在に被せたことを特徴とする自動ドアの取り付け装置。
【請求項２】
室内側のスライドドアと、室外側のスライドドアと、これらの間の固定ドアとで風除け室を形成し、この風除け室におけるスライドドアと固定ドアに沿った内側に位置して無目枠を設けたことを特徴とする請求項１記載の自動ドアの取り付け装置。
【請求項３】
風除け室が円形となるように、固定ドア、室内側のスライドドア、固定ドア、室外側のスライドドアをそれぞれ円弧状に湾曲して構成し、この室内側と室外側のスライドドアをそれぞれ両開きとし、この両開きの左右のスライドドアを同期して開閉駆動するようにベルトに連結し、このベルトを案内するガイドローラを無目枠内に所定間隔で配置したことを特徴とする請求項２記載の自動ドアの取り付け装置。
【発明の詳細な説明】
【技術分野】
【０００１】
本発明は、スライドドアにおけるレール、駆動装置などの無目内の機構を全て床下に収納するようにした自動ドアの取り付け装置に関するものである。
【背景技術】
【０００２】
従来のスライドドアの直線的なレール、駆動装置などの無目内の機構は、一般に、天井側に無目を設けて取り付けられる（特許文献１）。これは、スライドドアが直線的に移動するものの場合、無目の幅が狭いので、天井側の建築物の直線的な梁などが、無目内のレール、駆動装置などの構造物とこれに吊り下げられるドアとの重量を十分保持できるだけの強度を有し、また、メンテナンスも容易であることによる。
【０００３】
ところが、室外に面したドアと室内に面したドアとの間に風除け室を有するような場合、特に、風除け室が円形で、室外に面したドアと室内に面したドアが円弧状をなしているようなスライドドアでは、無目部分が円形で大きな面積をとり、かつ、天井側の建築物がその構造上、レール、駆動装置などの他、スライドするドアも吊り下げなければならず、重量ある構造物を支えるための強度を有するように構成することが面倒である。
このような問題点は、駆動装置などの無目内の機構を天井側の無目に取り付けた回転ドアにおいても同様である（特許文献２）。ただし、回転ドアの場合には、円形の風除け室の中心の回転軸だけを駆動すればよいから、駆動装置を回転軸の真下の限られた狭い面積の床下に設置することもある（特許文献３）が、風除け室が円形のスライドドアでは、このような構造とすることは困難である。
【特許文献１】特開平４―１１１８６号公報。
【特許文献２】特開１−１９１３００号公報。
【特許文献３】特開２００２―３０８６６号公報。
【発明の開示】
【発明が解決しようとする課題】
【０００４】
解決しようとする問題点は、風除け室の室外に面したスライドドアと室内に面したスライドドアとを有するような場合において、天井側の建築物がその構造上、レール、駆動装置などの他、スライドするドアも吊り下げなければならず、重量ある構造物を支えるための強度を有するように構成することが極めて面倒で、高価になる点である。
本発明の目的は、レール、駆動装置、スライドドアなどの重量ある構造物を上から支えることを必要とせず、構造が簡単、かつ、安価で、また、無目枠内での作業を安全に、能率よく行なうことのできるものを提供することである。
【課題を解決するための手段】
【０００５】
本発明は、ドア支持枠に取り付けた車輪を無目枠内のレールに載せ、エンジン本体で駆動されるベルトによりスライドドアを開閉する自動ドアの取り付け装置において、前記スライドドアの開閉される位置の床材の下に前記無目枠を設け、この無目枠内に、前記レール，ドア支持枠，車輪，エンジン本体，ベルトを収納し、前記無目枠の上に、嵌め込み床板を着脱自在に被せた自動ドアの取り付け装置である。
本発明は、室内側のスライドドアと、室外側のスライドドアと、これらの間の固定ドアとで風除け室を形成した場合に特に有効で、この風除け室におけるスライドドアと固定ドアに沿った内側に位置して無目枠を設けて、この無目枠内に、前記レール，ドア支持枠，車輪，エンジン本体，ベルトを収納する。
【発明の効果】
【０００６】
請求項１記載の発明によれば、ドア支持枠に取り付けた車輪を無目枠内のレールに載せ、エンジン本体で駆動されるベルトによりスライドドアを開閉する自動ドアの取り付け装置において、前記スライドドアの開閉される位置の床材の下に前記無目枠を設け、この無目枠内に、前記レール，ドア支持枠，車輪，エンジン本体，ベルトを収納し、前記無目枠の上に、嵌め込み床板を着脱自在に被せたので、天井側の建築物がレール、駆動装置、スライドドアなどの重量ある構造物を支えるための強度を必要とせず、構造が簡単になり、安価に提供することができる。また、無目枠内の組み込み作業、故障時の修理作業、定期的な点検作業などでは、嵌め込み床板を外して無目枠の内部を露出させて行ない、作業後に嵌め込み床板を元に戻すというこれらの作業は、すべて地面上であるから、安全性に優れ、かつ、作業の能率も上がる。
【０００７】
請求項２記載の発明によれば、室内側のスライドドアと、室外側のスライドドアと、これらの間の固定ドアとで風除け室を形成し、この風除け室におけるスライドドアと固定ドアに沿った内側に位置して無目枠を設けたので、建築物の天井の構造に拘わらず、風除け室のある自動ドアにおける自動ドアの取り付け装置をユニット化した構造とすることができる。
【０００８】
請求項３記載の発明によれば、風除け室が円形となるように、固定ドア、室内側のスライドドア、固定ドア、室外側のスライドドアをそれぞれ円弧状に湾曲して構成し、この室内側と室外側のスライドドアをそれぞれ両開きとし、この両開きの左右のスライドドアを同期して開閉駆動するようにベルトに連結し、このベルトを案内するガイドローラを無目枠内に所定間隔で配置したので、室内側と室外側のユニットを共通の構造にでき、１８０度のユニットを２個組み合わせることで円形の風除け室のある自動ドア装置を形成することができる。
【発明を実施するための最良の形態】
【０００９】
本発明による自動ドアの取り付け装置の最良の形態は、ドア支持枠に取り付けた車輪を無目枠内のレールに載せ、エンジン本体で駆動されるベルトによりスライドドアを開閉する自動ドアの取り付け装置であって、風除け室が円形となるように、固定ドア、室内側のスライドドア、固定ドア、室外側のスライドドアをそれぞれ円弧状に湾曲して構成する。そして、風除け室におけるスライドドアと固定ドアに沿った内側に位置して無目枠を設け、この無目枠内に、前記レール，ドア支持枠，車輪，エンジン本体，ベルトを収納し、前記無目枠の上に、嵌め込み床板を着脱自在に被せる。
これにより、天井側の建築物がレール、駆動装置、スライドドアなどの重量ある構造物を支えるための強度を必要とせず、構造が簡単になり、安価に提供することができる。また、無目枠内の組み込み作業、故障時の修理作業、定期的な点検作業などでは、嵌め込み床板を外して無目枠の内部を露出させて行ない、作業後に嵌め込み床板を元に戻すというこれらの作業は、すべて地面上で安全に行なうことができる。
風除け室が円形となるように構成すると、室内側と室外側のユニットを共通の構造にでき、１８０度の２個のユニットを組み合わせることで円形の風除け室のある自動ドア装置を形成することができる。
【実施例１】
【００１０】
以下、本発明の一実施例を図１乃至図３に基づき説明する。
図３において、４６は、円形の風除け室である。この風除け室４６の室外側には、開口Ａの両開きの湾曲した２枚のスライドドア１０、１０が設けられ、また、室内側にも、開口Ａの両開きの湾曲した２枚のスライドドア１０、１０が設けられ、これらの開口Ａ以外の個所は、円形の固定ドア１１、１１で包囲されている。また、左右の固定ドア１１、１１の略中央から左右に伸びた壁１２、１２は、室外と室内とを遮断するものである。
前記風除け室４６内のスライドドア１０と固定ドア１１に沿って全周を６分割した嵌め込み床板１３が着脱自在に嵌め込まれ、この嵌め込み床板１３の下側に後述するエンジン本体などの駆動装置、レールなどを収納する。
【００１１】
図２は、床材１５から嵌め込み床板１３を外した半周を示す平面図で、他の半周も同様の構成である。したがって、この半周の構造物を２個組み合わせることで３６０度の装置となる。
この図２と図１とにおいて、前記嵌め込み床板１３の床下には、円弧状に湾曲したＵ字形溝のコンクリート枠２４が設けられ、このコンクリート枠２４の内側に無目枠２５が嵌め込まれている。この無目枠２５の一方の内側に沿ってレール支持台２７を用いて湾曲したレール２６が取り付けられている。また、無目枠２５の他方の内側に所定間隔でガイドローラ取り付け材４７が設けられ、このガイドローラ取り付け材４７にそれぞれ２個一組のガイドローラ３３が取り付けられている。この２個一組のガイドローラ３３のうち、図２における右半分の内側の半径ｄと左半分の外側の半径ｄとが等しくなるように配置されている。これらのガイドローラ３３には、ベルト３１が掛け渡され、このベルト３１の図２における右端は、エンジン取り付け台４２に取り付けられたエンジン本体３７の駆動プーリ３８に掛け渡され、ベルト３１の図２における左端は、従動プーリ取り付け台４３に取り付けられた従動プーリ３９に掛け渡されている。前記エンジン本体３７の近くには、制御器４０，端子盤４１などが設けられている。
【００１２】
前記スライドドア１０の下框１８の下面には、嵌め込み床板１３のガイド溝４４を遊嵌しつつ下方に伸びたドア支持枠３０が設けられ、このドア支持枠３０には、１枚のスライドドア１０につき２個程度の車輪２８が前記レール２６の上を転動するように設けられるとともに、レール２６の下側に臨ませて踊り止めローラ２９が設けられている。
前記ドア支持枠３０には、ガイドローラ３３側に伸びたベルト支持材３２が設けられ、このベルト支持材３２の先端に前記ベルト３１が固着されている。このベルト３１のベルト支持材３２による固着位置は、図２における右側ではベルト３１の内側部分（半径ｄ）とし、図２における左側ではベルト３１の外側部分（半径ｄ）とすることにより、左右のスライドドア１０の移動距離が等しくなるように構成されている。
また、前記ドア支持枠３０には、ストッパ３５が設けられ、無目枠２５内の電気錠３４に係脱するように構成されている。
【００１３】
前記無目枠２５の上面を両側から内側に折り曲げてそれぞれ載せ台４５、４５となし、また、これらの載せ台４５、４５の間に床受け材３６を設けるとともに、図２における無目枠２５の中央部と左右部にそれぞれ床受け材３６を設ける。前記外側の載せ台４５の上に、固定ドア１１の下部横桟２２と室外の床材１５の端を載せ、内側の載せ台４５の上に、室内の床材１５を載せ、さらに、内側の載せ台４５と床受け材３６との上に、嵌め込み床板１３を着脱自在に載せる。
【００１４】
前記スライドドア１０の上框１７の上端部にガイドローラ２３を取り付け、このガイドローラ２３を天井１４の支持材１９に設けたガイド枠１６に移動自在に嵌合し、前記固定ドア１１の上部横桟２１を前記支持材１９に取り付ける。前記開口Ａにおける天井１４の室外側と室内側にそれぞれ感知センサ２０を設ける。
【００１５】
以上のような構成による開閉動作を説明する。
図３に示すようにスライドドア１０、１０が閉じている状態において、室内側又は室外側の感知センサ２０が出入りしようとする人間を感知すると、その信号が制御器４０に送られ、エンジン本体３７により駆動プーリ３８が回転し、図２における右側では、下側のガイドローラ３３に接しているベルト３１が図２の右方向に引き込まれ、これにより、図２における左側の外側のガイドローラ３３に接しているベルト３１が図２の左方向に引き込まれる。すると、ドア支持枠３０に取り付けられた車輪２８がレール２６の上を転動し、かつ、スライドドア１０の上端のガイドローラ２３がガイド枠１６に遊嵌しながら、左右のスライドドア１０、１０は、両開きで開放する。
スライドドア１０が停止位置の直前まできて、制御器４０が移動距離に応じたパルス数を計測すると、エンジン本体３７を微速に制御して停止位置まで移動して停止する。
停止後所定時間が経過すると、制御器４０がエンジン本体３７を逆回転に制御して閉鎖動作をし、閉鎖点近くで微速になり、閉鎖点で停止し、つぎの感知センサ２０の信号まで待機する。
【００１６】
無目枠２５内の組み込み作業、故障時の修理作業、定期的な点検作業などでは、嵌め込み床板１３を外して無目枠２５の内部を露出させて行ない、作業後に嵌め込み床板１３を元に戻す。これらの作業は、地面上であるから、安全性に優れ、かつ、作業の能率も上がる。
なお、ガイド溝４４からごみや水が入るのを防止するには、ドア支持枠３０の移動に支障のない範囲で刷毛やゴム板で塞ぐようにしても良い。また、無目枠２５の中に水が浸入する恐れがあるときは、無目枠２５に水抜き穴を形成するようにしても良い。
【実施例２】
【００１７】
前記実施例では、風除け室４６が円形で、スライドドア１０が湾曲したものである場合を例示したが、これに限られるものではなく、風除け室４６が４角その他の角形であって、スライドドア１０が直線的に開閉するものであっても良い。
前記実施例では、スライドドア１０が両開きの場合を例示したが、片開きであっても良いし、また、同一方向に複数枚がスライドするスライドドア１０であっても良い。
【図面の簡単な説明】
【００１８】
【図１】本発明による自動ドアの取り付け装置の一実施例を示す縦断面図である。
【図２】本発明による自動ドアの取り付け装置の嵌め込み床板を除いたときの風除け室の半分を示す平面図である。
【図３】本発明による自動ドアの取り付け装置の全体の平面図である。
【符号の説明】
【００１９】
１０…スライドドア、１１…固定ドア、１２…壁、１３…嵌め込み床板、１４…天井、１５…床材、１６…ガイド枠、１７…上框、１８…下框、１９…支持材、２０…感知センサ、２１…上部横桟、２２…下部横桟、２３…ガイドローラ、２４…コンクリート枠、２５…無目枠、２６…レール、２７…レール支持台、２８…車輪、２９…踊り止めローラ、３０…ドア支持枠、３１…ベルト、３２…ベルト支持材、３３…ガイドローラ、３４…電気錠、３５…ストッパ、３６…床受け材、３７…エンジン本体、３８…駆動プーリ、３９…従動プーリ、４０…制御器、４１…端子盤、４２…エンジン取り付け台、４３…従動プーリ取り付け台、４４…ガイド溝、４５…載せ台、４６…風除け室、４７…ガイドローラ取り付け材。
【図１】
2006177043.tif 000003
【図２】
2006177043.tif 000004
【図３】
2006177043.tif 000005